(57)【要約】      （修正有）【課題】当初に与えられた図柄を完成させる遊技ではなく、遊技者が想定した図柄を完成させたり、偶然の組合せで生ずる幾通りもの図柄の創造を楽しむ遊戯ができる創造性に富んだ組合せ玩具を提供する。【解決手段】形状の異なる所定数の部品型の組み合わせで所定の原型が完成された原型組と同形であって図柄の異なる原型組を複数個有し、前記図柄の異なる各原型組同士の同一形状の部品型の取り替えで、前記原型組に当初与えられた図柄とは異なる新たな図柄の新型組が完成される。例えば、組合せ玩具として、第１の原型組としての白色系一色の猫の原型組（白猫原型組）と第２の原型組としての黒色系一色の猫の原型組（黒猫原型組）とを用いて白黒二色系猫の組合せ玩具とし、相互の原型組同士において、同一形状（数字が同一の符号）の部品型を適宜取り替えることで、白黒二色模様の新型組２個をも組上げることができる。【選択図】図４
0003174454.tif 000002
【実用新案登録請求の範囲】
【請求項１】
形状の異なる所定数の部品型の組み合わせで所定の原型が完成された原型組と同形であって図柄の異なる原型組を複数個有し、前記図柄の異なる各原型組同士の同一形状の部品型の取り替えで、前記原型組に当初与えられた図柄とは異なる新たな図柄の新型組が完成されることを特徴とする組合せ玩具。
【請求項２】
形状の異なる所定数の部品型の組み合わせで猫の原型が完成された原型組と同形であって黒色系、白色系、黄色系と色彩の異なる３個の原型組を有し、前記色彩の異なる原型組同士の同一形状の部品型の取り替えで、前記原型組の猫の図柄とは異なる三毛猫図柄の新型組が少なくとも１個の原型組で完成されることを特徴とする組合せ玩具。
【請求項３】
形状の異なる所定数の部品型の組み合わせで三毛猫の原型が完成された原型組と同形であって図柄の異なる原型組を３個有し、前記図柄の異なる原型組同士の同一形状の部品型の取り替え組合せで、前記各原型組の三毛猫図柄とは異なる図柄の三毛猫の新型組が少なくとも１個の原型組で完成されることを特徴とする組合せ玩具。
【考案の詳細な説明】
【技術分野】
【０００１】
本考案は、組合せ玩具に関するものである。
【背景技術】
【０００２】
従来の組合せ玩具、例えば、三毛猫の図柄が描かれたジグソーパズル形式の組合せ玩具では、形状の異なる複数の構成部品としての部品型が初めから組み合わせられて一つの三毛猫図柄の原型が一組（１枚）のみ在って、この一組の原型の部品型の組合せを壊しバラバラにしてから、当初図柄の三毛猫図柄が完成するように個々の部品型を一つ一つ選択しながら組み合わせして行く、というものであった。
【考案の概要】
【考案が解決しようとする課題】
【０００３】
しかしながら、従来のこの種の形式の組合せ玩具では、当初に与えられた図柄を完成させる遊戯であり、完成の達成感や完成に向かっての部品型の取捨選択の困難性に遊戯の興趣性が生じるに止まるものであった。
【０００４】
本考案は、当初に与えられた図柄を完成させる遊技ではなく、遊技者が想定した図柄を創造（完成）させたり、偶然の組合せで生ずる幾通りもの図柄の創造を楽しむ遊戯ができる、従来にない興趣性に富み、創造性に富んだ組合せ玩具の提供を目的とするものである。
【課題を解決するための手段】
【０００５】
請求項１の組合せ玩具の考案は、形状の異なる所定数の部品型の組み合わせで所定の原型が完成された原型組と同形であって図柄の異なる原型組を複数個有し、前記図柄の異なる各原型組同士の同一形状の部品型の取り替えで、前記原型組に当初与えられた図柄とは異なる新たな図柄の新型組が完成されることを特徴とする。
【０００６】
請求項２の組合せ玩具の考案は、形状の異なる所定数の部品型の組み合わせで猫の原型が完成された原型組と同形であって黒色系、白色系、黄色系と色彩の異なる３個の原型組を有し、前記色彩の異なる原型組同士の同一形状の部品型の取り替えで、前記原型組の猫の図柄とは異なる三毛猫図柄の新型組が少なくとも１個の原型組で完成されることを特徴とする。
【０００７】
請求項３の組合せ玩具の考案は、形状の異なる所定数の部品型の組み合わせで三毛猫の原型が完成された原型組と同形であって図柄の異なる原型組を３個有し、前記図柄の異なる原型組同士の同一形状の部品型の取り替え組合せで、前記各原型組の三毛猫図柄とは異なる図柄の三毛猫の新型組が少なくとも１個の原型組で完成されることを特徴とする。
【考案の効果】
【０００８】
請求項１乃至請求項３の各考案によれば、何れも、当初に与えられた図柄を単に完成させる従来の遊戯とは異なり、遊戯者が自由に完成図柄を創作することができたり、偶然の組合せで幾通りもの図柄の創作を楽しむことができ、創作性に富み、興趣性に富んだ組合せ玩具を提供することができる。
【０００９】
請求項２の考案によれば、黒色系、白色系、黄色系と色彩が異なる３つの図柄、即ち、黒色系一色の猫の原型組（黒猫原型組）と、白色系の一色の猫の原型組（白猫原型組）と、黄色系の一色の猫の原型組（黄猫原型組）とで、同一形状の色違いの部品型を取り替えることによって、少なくとも１個、最大で３個の新たな色模様（図柄）の三毛猫の原型組を創作することができるだけでなく、三毛（三色）の色の組合せが異なる三毛猫の新たな原型組を幾通りも創作することができる。
【００１０】
請求項３の考案によれば、各々図柄が異なる３個の三毛猫の原型組とで、同一形状で色違い（図柄）の異なる部品型を互いに取り替えることによって、少なくとも１個、最大で３個の新たな色模様（図柄）の三毛猫の原型組を創作することができるだけでなく、三毛（三色）の色の組合せが異なる三毛猫の原型組を幾通りも創作することができる。
【図面の簡単な説明】
【００１１】
【図１】図１は第１の猫の原形組の平面図である。（実施例１）
【図２】図２は第２の猫の原形組の平面図である。（実施例１）
【図３】図３は第３の猫の原形組の平面図である。（実施例１）
【図４】図４は部品型が取り替えられた後の原形組の平面図である。（実施例１）
【図５】図５は図４のＡ−Ａ横断面図である。（実施例１）
【図６】図６は図４のＡ−Ａ横断面図に相応する別の実施例の横断面図である。（実施例２）
【考案を実施するための形態】
【００１２】
以下、本考案の実施形態として黒色系、白色系、黄色系と色彩の異なる第１乃至第３の３個（３組）の原型組で一つの組合せ玩具が構成されている三毛猫組合せ玩具の例を、図１乃至図５の図面に基づいて説明する。
【実施例１】
【００１３】
実施例１は、黒色系一色の猫の原型組（以下、黒猫原型組ともいう）と、白色系一色の猫の原型組（以下、白猫原型組ともいう）と、黄色系一色の猫の原型組（以下、黄黒猫原型組ともいう）とで、新たな三毛図柄の猫の原型組が創作（完成）される実施例であり、図１乃至図３において、図１は第１の原型組としての白色系一色の猫の原型組（白猫原型組）、図２は第２の原型組としての黒色系一色の猫の原型組（黒猫原型組）であり、図３は第３の原型組としての黄色系一色の猫の原型組（黄黒猫原型組）である。
【００１４】
ここで原型組とは、互いに形状の異なる複数の部品（以下、部品型ともいう）の一通りの組合せで一つの所定形状が完成される一つの組をいい、前記部品或いは組の形状の表面に表される色や模様彩等の図柄の有無や図柄の異同を問わない。
同図において、一つの部品型毎に与えられている「数字＋アルファベット文字」から成る符号は、その数字が完成された状態における所定部位の所定形状の所定部品型を示し、アルファベット文字は特定の色（図柄）を示す。
【００１５】
例えば、図１中の符号１Ｗの数字は、各原型組において共通する同一形状の同一所定部位、即ち、１は猫の「右耳部位部分」の部品型を示し、Ｗは、当該部品型１の図柄が白色系であることを示し、図２中の符号１Ｂの数字１は、各原型組において共通する同一所定部位である猫の「右耳部位部分」の部品型を示し、Ｂは部品型１の図柄が黒色系であることを示している。
同様に、図３中の符号１Ｙの数字１は、各原型組において共通する同一所定部位である猫の「右耳部位部分」の部品型を示し、Ｙは部品型１の図柄が黄色系であることを示している。
【００１６】
その他の部品型を示す符号の数字２は「左耳及び左目部位部分」、数字３は「左肩部位部分」、数字４は「背中部位部分」、数字５は「臀部位部分」、数字６は「尾尻及び後足部位部分」、数字７は「前足部位部分」、数字８は「右肩部位部分」、数字９は「右目及び鼻口部位部分」、数字１０は「腹部位部分」であって、各所定部位の部品型１〜１０の形状は相互に異なっており、第１乃至第３の各原型組において共通する同一所定部位の部品型同士、例えば、第１の原型組の部品型１Ｗと第２の原型組の部品型１Ｂと第３の原型組の部品型１Ｙは同形である。
【００１７】
以上、要するに部品型において共通する符号の数字は、形状が共通即ち同一形状の部品型であり、アルファベット文字は図柄の異同、即ち、Ｗは白色系、Ｂは黒色系、Ｙは黄色系を示すものであり、第１乃至第３の各原型組を構成する各部品型の形状が同一であるから当然これら３つの第１乃至第３の各原型組の形状は同一である。
【００１８】
以上の通り、この実施例で示す第１乃至第３の原型組は、各原型組においては、互いに形状の異なる所定個数１０個の部品型（符号の数字１〜１０）の組み合わせで猫の原型が完成される組であって、各組即ち３個の原型組相互間においては、完成された組及び数字が共通の符号が与えられた部品型が何れも同形であって、各原型組毎に施された図柄としての色彩のみが白色系（Ｗ）、黒色系（Ｂ）、黄色系（Ｙ）と異なっている。
【００１９】
このように形状が同一で色彩（図柄）のみが互いに異なる第１乃至第３の３個の原型組同士において、同一形状（数字が同一の符号）の部品型を相互に適宜取り替えることで、少なくとも１個の原型組において、例えば、図４に示すように、猫の元の図柄即ち原型組の当初の図柄）とは異なる白色系、黒色系、黄色系が入り混じった所謂三毛猫図柄の新型組を組上げる（完成させる）ことができる。
又、図示されていないが、２個の原型組或いは３個の原型組においても同様にして、図柄の異なる三毛猫図柄の新型組を組上げることもできる。
【００２０】
しかも、新型組の三毛猫の図柄は、部品型の組み替え如何で、幾通りもの図柄の三毛猫を創作することができるし、その図柄の数は、原型組を構成する構成部品としての部品型の数が多いほど増大させることができるので、創作感性を著しく高めることができ、知育玩具として、遊戯者を飽きさせることなく幾度も用いて遊ぶことができる。
【００２１】
遊び方としては、例えば、一人遊びで、３組の原型組を用いて同時的に３個の三毛猫の新型組を作ることもできるし、上記したように、２組の原型組、例えば第１の白色系（Ｗ）の原型組と第２の黒色系（Ｂ）の原型組とを用いて、同時的に２個の白黒猫の新型組を作ることができる。
【００２２】
又、二人遊びでは、３組の原型組の一組を無主の組とし、残り２組を各自一組づつ手持ち組として保持し、互いにジャンケンを繰り返して、その都度、勝者が任意に望む相手の組又は無主の組の中から何れか一つの部品型（但し、直前に取り替えられた部品型を除く）と取り替え、次に、第２の人と第３の人とがジャンケンをして勝者が任意に望む相手の部品型又は無主の組の中から何れか一つと取り替え、更に、第３の人と第１の人がジャンケンをして勝者が任意に望む相手の組又は無主の組の中から何れか一つ部品型と取り替えるという具合に、順次ジャンケン繰り返して行きながら三毛猫を完成するようにし、最初に三毛猫を完成させた人、或いは理想的な配色の三毛猫を完成させた人、或いは又、予め完成図柄と設定された図柄の完成させた人を最終勝利者とする、というような遊び方をすることができる。
【００２３】
又、三人遊びでは、３組の原型組を各自一組づつ手持ち組として保持し、例えば、第１の人と第２の人がジャンケンをして勝者が任意に望む相手の組の中から何れか一つの部品型と取り替え、次に、第２の人と第３の人とがジャンケンをして勝者が任意に望む相手の組の中から何れか一つの部品型と取り替え、更に、第３の人と第１の人がジャンケンをして勝者が任意に望む相手の組の中から何れか一つの部品型と取り替えるという具合にして、順次ジャンケン繰り返して行きながら三毛猫を完成するようにし、最初に三毛猫を完成させた人或いは理想的な三毛猫を完成させた人、或いは又、予め完成図柄と設定された図柄の三毛猫を完成させた人を最終勝利者としたり、更には、予め一巡するジャンケンの巡回数を定めておき、巡回終了時における完成度合いの優れた人を勝者する等の遊び方ができる。
【００２４】
図５において、上記実施例の第１乃至第３の各原型組は、図１乃至図３に示す通り、何れも、平板状の保持枠体１１に、全ての各部品型１〜１０が完成された猫の姿の状態即ち当初図柄に組まれた状態で、各部品型１〜１０が抜き取り自在に嵌め込み状態にて納められている。
【００２５】
図５に示す保持枠体１１では、原型組は抜け落ちないように保持枠体１１に形成された凹部１２に納められているが、図６に示すように抜け落ち可能な保持枠１３であってもよいし、図示されていないが、保持枠１１、１３自体を備えていなくてもよい。要するに、保持枠１１、や１３は必ずしも必要とはしない。
【００２６】
又、上記実施例の第１乃至第３の各原型組（原型組を構成する部品型１〜１０）は、恰も積み木のような厚みで図示されているが、一般的なジグソーパズルのような厚みで形成されてもよい。
【００２７】
又、上記実施例の第１乃至第３の各原型組（原型組を構成する部品型１〜１０）の図柄は平面的であるが、立体的に形成されてもよい。
【００２８】
又、上記とは別の一つの組合せ玩具として、図１の第１の原型組としての白色系一色の猫の原型組（白猫原型組）と図２の第２の原型組としての黒色系一色の猫の原型組（黒猫原型組）とを用いて白黒二色系猫の組合せ玩具とし、相互の原型組同士において、同一形状（数字が同一の符号）の部品型を適宜取り替えることで、白黒二色模様の新型組２個をも組上げることができる。
【産業上の利用可能性】
【００２９】
本考案は、２歳位からの知育玩具、高齢者や軽度の知的或いは身体的な障害者等のリハビリ用具として広く利用することができる。
【符号の説明】
【００３０】
１Ｗ〜１０Ｗ  第1の原型組を構成する部品型（白色系）  
１Ｂ〜１０Ｂ  第２の原型組を構成する部品型（黒色系）
１Ｙ〜１０Ｙ  第３の原型組を構成する部品型（黄色系）
１１  保持枠
１２  凹部
１３  保持枠
【図１】
0003174454.tif 000003
【図２】
0003174454.tif 000004
【図３】
0003174454.tif 000005
【図４】
0003174454.tif 000006
【図５】
0003174454.tif 000007
【図６】
0003174454.tif 000008